(57)【要約】【課題】接続切替部を駆動するために十分な電源を供給できるようにして、電話機と電話回線との接続切り替えを確実に行う。【解決手段】電話回線Ｌ１，Ｌ２からのリンガー信号によって生じる電流により充電部９０を充電するリンガー充電部６０、待機時に電話回線Ｌ１，Ｌ２からの回線電圧によって生じる電流により充電部９０を充電する回線充電部６１、データ通信の開始時および終了時に電話回線Ｌ１，Ｌ２の回線電圧によって生じる電流により充電部９０を充電する強制充電部６２を設ける。リンガー信号を受信したとき、あるいはデータ通信が終了したとき、充電部９０を電源として、接続切替部２７をセット状態からリセット状態にして、電話機７を電話回線Ｌ１，Ｌ２に接続する。【選択図】  図２
2004200758.tif 000002
【特許請求の範囲】
【請求項１】
端末機器および通信機器が接続され、通信回線を通じてセンター側装置との間でデータ通信を行う端末網制御装置であって、前記通信機器を前記通信回線に接続するリセット状態とデータ通信時に前記通信機器を前記通信回線から切り離すセット状態とを切り替える接続切替部を備え、該接続切替部を駆動するための電源として、商用電源、バックアップ用電源、前記通信回線から供給される電力による電源および前記通信回線からの呼出信号による電源を利用したことを特徴とする端末網制御装置。
【請求項２】
通信回線から供給される電力による電源および前記通信回線からの呼出信号による電源によって充電される充電部が設けられ、該充電部から接続切替部の駆動用電源を供給することを特徴とする請求項１記載の端末網制御装置。
【請求項３】
充電部は、通信を行っていない待機時に通信回線からの回線電圧によって生じる電流により充電されることを特徴とする請求項２記載の端末網制御装置。
【請求項４】
充電部は、通信回線を通じて呼出信号を受信したときに、呼出信号によって発生した電流により充電されることを特徴とする請求項２記載の端末網制御装置。
【請求項５】
充電部は、データ通信中に、通信回線からの回線電圧によって生じる電流により充電されることを特徴とする請求項２記載の端末網制御装置。
【請求項６】
複数回の呼出信号を受信したとき、セット状態からリセット状態に切り替えるために、充電部から接続切替部に電源が供給されることを特徴とする請求項２〜５のいずれかに記載の端末網制御装置。
【請求項７】
データ通信が終了したとき、セット状態からリセット状態に切り替えるために、充電部から接続切替部に電源が供給されることを特徴とする請求項２〜５のいずれかに記載の端末網制御装置。
【請求項８】
セット状態からリセット状態に強制的に切り替えるためのリセット用スイッチが設けられ、該スイッチの操作により、充電部から接続切替部に電源が供給されることを特徴とする請求項２〜７のいずれかに記載の端末網制御装置。
【請求項９】
セット状態からリセット状態に切り替えるとき、充電部からの電源と他の電源とを併用して、時間差をつけて接続切替部にそれぞれの電源が供給されることを特徴とする請求項２〜８のいずれかに記載の端末網制御装置。
【請求項１０】
接続切替部を駆動制御する制御部が設けられ、前記接続切替部を駆動するための電源の電圧が低下したとき、前記制御部は、リセット状態になるように前記接続切替部を駆動することを特徴とする請求項２〜９のいずれかに記載の端末網制御装置。
【請求項１１】
制御部は、接続切替部をリセット状態にした後、前記接続切替部を駆動可能とするか、駆動を禁止するかを選択して、いずれかに設定することを特徴とする請求項１０記載の端末網制御装置。
【発明の詳細な説明】
【０００１】
【発明の属する技術分野】
本発明は、一般電話回線等の通信回線を介して水道、ガス、電気等の計測を行う端末機器からのデータをセンター側装置に伝送する端末網制御装置に関する。
【０００２】
【従来の技術】
一般に、水道、ガス、電気等の家庭における自動検針、もしくは自動販売機等における売り上げ量に対する情報の収集する方法として、一般電話回線を用いたデータ伝送方式は、最も実用性に富むものである。この方式の中に、電話機のベルを鳴らさないでデータ通信を行うノーリンギング通信方式がある。
【０００３】
ノーリンギング通信方式による通信システムを図６に示す。この通信システムでは、ホストコンピュータ１、センター網制御装置（Ｃ−ＮＣＵ）２からなるセンター側装置が、センター側交換機３、端末側交換機４、ノーリンギングトランク５を介して端末網制御装置（Ｔ−ＮＣＵ）６と電話回線Ｌ１，Ｌ２を通じて接続される。端末網制御装置６には、電話機７および端末機器が接続されている。端末機器としては、ガス、水道、電気等のメータ８、９、センサ等の接点機器３４である。
【０００４】
端末網制御装置６は、図７に示すように、電話機７の使用状態を監視するオフフック検知部２０と、電話回線Ｌ１，Ｌ２からの回線電圧の反転を検出する極性反転検出部２１と、ダイアル動作およびオフフック動作をする端末発呼部２２と、極性反転検知後にノーリンギング信号を検知してその信号が自端末か否かを検出するノーリンギング信号（ＮＲＳ）検知部２３と、データ通信時に通信を制御する半ループ制御部２４と、Ｃ−ＮＣＵ２とデータを送受信するモデム部２５と、ＲＯＭ，ＲＡＭ，ＣＰＵ等を有するマイクロコンピュータ（マイコン）からなる主制御部２６と、電話機７の監視時に電話回線Ｌ１，Ｌ２から電話機７を切り離す接続切替部２７と、各部の駆動用電源を供給する電源部２８と、クロック信号を供給して時間等の測定を行う時計部２９と、５ビットメータ８と通信をするインターフェイス部３０と、８ビットメータ９と通信をするインターフェイス部３１と、センサ３４からの入力信号あるいは接点入力を受けるセンサ用インターフェイス部３２と、端末発呼時のオフフック検知部３３と、ＥＥＰＲＯＭからなる記憶部５２とを備えている。
【０００５】
ホストコンピュータ１が、メータ８、９の検針値あるいはセンサ３４の状態を知りたいときに、端末網制御装置６に対して通信電文を送る。まず、センター網制御装置２は、センター側交換機３に対してダイアルする。センター側交換機３が端末側交換機４に接続される。そして、端末側交換機４は、ノーリンギングトランク５を経由してノーリンギング信号を端末網制御装置６に送る。端末網制御装置６では、電話回線Ｌ１，Ｌ２を介して受け取ったノーリンギング信号を検知すると、電話機７を鳴らさずに、メータ値あるいはセンサ３４の状態をセンター側に送り返す。
【０００６】
ところで、端末発呼中に、落雷事故等や他の原因によってマイコンにリセットがかかって機能しなくなると、接続切替部２７の切替リレーが元の接続位置に戻らなくなる。あるいは、電池切れ等によっても、接続切替部２７の切替リレーへの電源供給が途絶え、切替リレーが元の接続位置に戻らなくなる。電話機７が電話回線Ｌ１，Ｌ２から切り離されたままになってしまうため、通信が終了しているにも拘わらず、使用者が受話器を外しても電話機７を使用することができず、通常の通話に支障をきたすといった問題があった。しかも、切替リレーは電池のみで駆動され、電池と電話回線側とが絶縁されているので、電話回線Ｌ１，Ｌ２からの電源を利用することができず、電池の交換やマイコンの機能が回復しない限り、電話機７が使えなかった。
【０００７】
上記の不具合を解消する先行技術として、特許文献１では、電話回線Ｌ１，Ｌ２からのリンガー信号を電源として直接利用して、切替リレーを駆動する。図８に示すように、端末網制御装置６には、電話回線Ｌ１，Ｌ２から入力される呼出信号を検知するリンガー検知部４３と、電話回線Ｌ１，Ｌ２からの呼出信号を用いて一定時間充電する充電部４４と、充電してから一定時間経過後に充電部４４からの電源により切替リレーを作動させる接続部４５とが設けられている。
【０００８】
リンガー検知部４３は、電話回線Ｌ１，Ｌ２から入力される１６Ｈｚの周波数で７５Ｖの交流信号により構成された呼出信号であるリンガー信号を検知するものである。電話回線Ｌ１側にコンデンサＣ１、抵抗Ｒ１、ダイオードブリッジＤＢＧ１、ツェナーダイオードＺＤ１が直列に接続され、ツェナーダイオードＺＤ１の他側に電話回線Ｌ２が接続されている。そして、ダイオードブリッジＤＢＧ１には、抵抗Ｒ３を介してフォトカプラＰＣ１の発光ダイオードが直列に接続され、フォトカプラＰＣ１に対してコンデンサＣ２および抵抗Ｒ２が並列に接続されている。また、電話回線Ｌ１，Ｌ２間にはダイオードブリッジＤＢＧ２が接続されており、ダイオードブリッジＤＢＧ２につながれた＋側の接続線４６ａには、フォトカプラＰＣ１のフォトトランジスタのコレクタ端子が接続され、そのエミッタ端子が通信線４７を介して主制御部２６に接続されている。
【０００９】
すなわち、電話回線Ｌ１，Ｌ２からリンガー信号が入力されると、ダイオードブリッジＤＢＧ１を介してフォトカプラＰＣ１に電流が流れて、フォトカプラＰＣ１のフォトトランジスタがオンする。この信号が主制御部２６に入力されて、リンガー信号と認識される。なお、ダイオードブリッジＤＢＧ１では、ツェナーダイオードＺＤ１によって一定の振幅以上の信号のみ通すように制限されている。
【００１０】
充電部４４は、電話回線Ｌ１，Ｌ２からの電流を切替リレーの作動電源として充電するものであり、コンデンサＣ３と、ＰＮＰトランジスタＱ１と、ＮＰＮトランジスタＱ２とを備えている。コンデンサＣ３は、接続線４６ａ，４６ｂを介してダイオードブリッジＤＢＧ２に対して直列に接続されている。トランジスタＱ１は、そのエミッタ端子が一側の接続線４６ａを介してダイオードブリッジＤＢＧ２に接続され、コレクタ端子が定電流ダイオードＣＤ３を介してコンデンサＣ３の一側に接続され、ベース端子が抵抗Ｒ８を介してトランジスタＱ２のコレクタ端子に接続されている。トランジスタＱ２は、そのエミッタ端子が他側の接続線４６ｂに接続され、ベース端子が抵抗Ｒ４およびダイオードＤ１を介してフォトカプラＰＣ１のフォトトランジスタのエミッタ端子につながれた通信線４７に接続されている。また、両トランジスタＱ１、Ｑ２のエミッタ−ベース間にはそれぞれ抵抗Ｒ６、Ｒ７が介装されている。
【００１１】
すなわち、充電部４４では、電話回線Ｌ１，Ｌ２からリンガー信号が入力されてフォトカプラＰＣ１のフォトトランジスタがオンすることにより、トランジスタＱ１およびトランジスタＱ２がオンして、電話回線Ｌ１，Ｌ２からダイオードブリッジＤＢＧ２を介して電流が流れ、コンデンサＣ３に充電される。なお、コンデンサＣ３への充電は、リンガー信号の交流信号の各サイクル毎に実施され、コンデンサＣ３の遅延時定数によって一定時間充電される。コンデンサＣ３に対して並列に接続されたツェナーダイオードＺＤ２は、充電部４４および接続部４５を含む回路内の過電圧保護を行うものである。
【００１２】
また、充電部４４には、コンデンサＣ３へ充電される電話回線Ｌ１，Ｌ２からの電流を制限する電流制限部４８が設けられている。この電流制限部４８は、定電流ダイオードＣＤ３とされ、トランジスタＱ１のコレクタ端子とコンデンサＣ３の一側との間に介装されている。この定電流ダイオードＣＤ３により、一定に制限された安定した電流がコンデンサＣ３に充電される。
【００１３】
接続部４５は、コンデンサＣ３での充電を十分に行わせて、その電流により切替リレーを作動させるものであり、コンデンサＣ４と、トランジスタＱ４と、切替リレーを通信位置から接続位置へ切替えるリセットコイル４９とを備えている。コンデンサＣ４は、その一側が抵抗Ｒ１１およびダイオードＤ２を介して通信線４７のダイオードＤ１より信号下流側に接続され、他側がコンデンサＣ３の他側とツェナーダイオードＺＤ２の他側との中間点に接続されている。トランジスタＱ４は、そのエミッタ端子がコンデンサＣ４の他側とツェナーダイオードＺＤ２の他側との中間点に接続され、コレクタ端子がリセットコイル４９の他側に接続され、ベース端子が抵抗Ｒ１５を介してコンデンサＣ４の一側と抵抗Ｒ１１との中間点に接続されている。リセットコイル４９は、その＋側がコンデンサＣ３の＋側とツェナーダイオードＺＤ２との中間点に接続されており、リセットコイル４９にダイオードＤ５が並列に接続されている。また、トランジスタＱ４のエミッタ−ベース間には抵抗Ｒ１３が介装されている。
【００１４】
すなわち、接続部４５では、電話回線Ｌ１，Ｌ２からリンガー信号が入力されてフォトカプラＰＣ１のフォトトランジスタがオンすることにより、コンデンサＣ３と同時に電話回線Ｌ１，Ｌ２からの電流がコンデンサＣ４に充電される。そして、コンデンサＣ４が放電してトランジスタＱ４がオンすると、コンデンサＣ３からの電流がリセットコイル４９に流れて、切替リレーが接続位置に切り換わる。なお、コンデンサＣ４の遅延時定数は、コンデンサＣ３の遅延時定数よりも大に設定されており、コンデンサＣ４ではコンデンサＣ３よりも長い時間充電され、コンデンサＣ４が放電してトランジスタＱ４がオンするまで、コンデンサＣ３は放電しない。なお、切替リレーは、その作動エネルギをできるだけ低く抑えるために、ラッチングリレーが使用されている。
【００１５】
【特許文献１】
特開平７−２９７９３４号公報
【００１６】
【発明が解決しようとする課題】
上記の端末網制御装置では、リンガー信号により一定時間コンデンサを充電して、切替リレーを駆動するので、短時間に繰り返してデータ通信をすることはできない。なぜならば、コンデンサに充電が行われても、切替リレーを駆動するたびに放電するので、データ通信を繰り返す場合、十分な充電ができず、切替リレーが正常に作動しないという事態が発生することが考えられる。これに伴って、リンガー信号を受信するまで切替リレーが作動せず、通信位置になったままとなり、電話機を使えない事態も発生するおそれがある。
【００１７】
本発明は、上記に鑑み、接続切替部を駆動するために十分な電源を供給できるように、複数の電源を確保して、電話機と電話回線との接続切り替えを確実に行える端末網制御装置の提供を目的とする。
【００１８】
【課題を解決するための手段】
本発明による課題解決手段は、電話機等の通信機器を通信回線に接続するリセット状態とデータ通信時に前記通信機器を前記通信回線から切り離すセット状態とを切り替える接続切替部を備え、該接続切替部を駆動するための電源として、商用電源、バックアップ用電源、前記通信回線から供給される電力による電源および前記通信回線からの呼出信号による電源を利用したものである。
【００１９】
通信回線からの電力を利用するために、通信回線からの電力による電源および呼出信号による電源によって充電される充電部が設けられ、該充電部から接続切替部の駆動用電源を供給する。したがって、商用電源やバックアップ用電源を使用しなくても、接続切替部を駆動することができるので、停電や電池電圧の低下が起こっても、通信機器を通信回線に確実に接続して、通信機器の使用が可能となる。
【００２０】
充電部は、通信を行っていない待機時に通信回線からの供給される電力、すなわち回線電圧によって生じる電流により常時充電される。具体的には、回線充電部により、待機時に通信回線から流れる電流を一定値以下に制限して充電部に供給する。これによって、一定電流で常時充電することができ、接続切替部を駆動するのに必要な電源を確保できる。
【００２１】
充電部は、通信回線を通じてリンガー信号等の呼出信号を受信したときに、呼出信号によって発生した電流により充電される。具体的には、リンガー充電部により、リンガー信号によって生じた電流を一定値以下に制限して充電部に供給する。これによって、一定電流で充電することができる。回線充電部と併用することによって、より確実に接続切替部の駆動用電源を確保できる。
【００２２】
充電部は、データ通信中に、通信回線からの電力、すなわち回線電圧によって生じる電流により強制的に充電される。具体的には、端末発呼部のオンオフに基づいて通信の開始から終了までを監視して、強制充電部により、通信回線から流れる電流を一定値以下に制限して充電部に供給する。特に、接続切替部を駆動しなければならない通信開始時および終了時に合わせて、強制充電部を作動させ、短時間に充電する。これによって、必要なときに十分な電源が得られる。
【００２３】
呼出信号を受信したとき、通信機器を使用しなければならない。接続切替部をセット状態からリセット状態に切り替えるために、複数回の呼出信号を受信すると、充電部から接続切替部に電源が供給される。具体的には、リンガー検知部によってリンガー信号が検知されたとき、リンガートリガ部により、複数回のリンガー信号を受信するまでの一定時間をおき、一定時間経過すると、充電部と接続切替部とを接続した状態にする。そして、充電部からの電源を接続切替部に供給して、リセット状態に切り替え、通信機器を使用可能とする。これによって、一定時間充電することができるので、接続切替部を確実に駆動できる。また、リンガー信号を受信すれば、自動的に充電部の電源を供給可能となり、接続切替部をリセット状態に切り替えることができる。したがって、接続切替部を駆動制御する制御部に異常が発生して、接続切替部を切り替えることができなくなったときに有用である。
【００２４】
データ通信が終了したとき、セット状態からリセット状態に切り替えるために、充電部から接続切替部に電源が供給される。具体的には、端末発呼部のオンオフに応じて強制充電部により充電を行い、主制御部からの出力により充電部と接続切替部とを接続した状態にして、充電部からの電源を接続切替部に供給する。これによって、通信が終了したときに、確実に通信機器を使用可能な状態にできる。
【００２５】
ところで、接続切替部がリセット状態にあって、通信機器を使用できない場合、あるいは設置工事時のミスによって接続切替部がリセット状態のままの場合、呼出信号を受信すれば、リセット状態に切り替えることができるが、セット状態からリセット状態に強制的に切り替えるためのリセット用スイッチを設けてもよい。このスイッチの操作により、充電部から接続切替部に電源が供給される。具体的には、端末網制御装置に既設されたスイッチにリセット機能を付加したものである。スイッチを操作することにより、充電部と接続切替部とを接続した状態にする。そして、充電部からの電源を接続切替部に供給して、リセット状態に切り替える。したがって、呼出信号を受信しなくても、すばやく通信機器を使用可能にでき、使い勝手がよくなる。
【００２６】
ここで、セット状態からリセット状態に切り替えるとき、充電部からの電源と他の電源とを併用して、時間差をつけて接続切替部にそれぞれの電源が供給される。具体的には、主制御部からの出力により充電部からの電源供給によって接続切替部を駆動し、時間をおいて、主制御部からの出力により他の電源、例えば商用電源、バックアップ用電源からの電源供給によって接続切替部を駆動する。すなわち、接続切替部は２度駆動されることになり、充電部が電源不足であって、接続切替部を駆動できなくても、他の電源によって駆動できるので、確実にリセット状態に切り替えることができる。なお、先に他の電源を供給してから、充電部の電源を供給してもよい。
【００２７】
また、接続切替部を駆動制御する主制御部は、前記接続切替部を駆動するための電源の電圧が低下したとき、リセット状態になるように前記接続切替部を駆動する。具体的には、バックアップ用電源あるいは充電部の電源電圧を検知する電圧低下検知部により電源電圧を監視し、電圧低下を検知したとき、主制御部は電圧低下した電源以外の電源を供給するようにして、接続切替部をリセット状態にする。これにより、電源電圧の低下によって接続切替部の駆動が不安定になっても、少なくとも通信機器だけは使用できるようになり、使用者に不便をかけない。
【００２８】
接続切替部をリセット状態にした後、主制御部は、接続切替部を駆動可能とするか、駆動を禁止するかを選択して、いずれかに設定する。選択する方法としては、予め記憶されているプログラムの内容にしたがっていずれかを選択するか、あるいはセンター側装置に問い合わせて、その指示にしたがっていずれかを選択する。駆動可能に設定すれば、健全な電源を用いて、接続切替部を駆動する。駆動禁止に設定すれば、データ通信は制限され、通信機器での通信が可能となる。なお、センター側から発呼された場合には、リンガー信号とは異なる呼出信号が入力するので、この呼出信号による電源を利用して、接続切替部をリセット状態からセット状態に切り替えて、データ通信を行えるようにしてもよい。すなわち、この場合、データ通信の一部が制限されることになる。
【００２９】
【発明の実施の形態】
本発明の一実施形態の端末網制御装置を備えた通信システムを図１に示す。基本的な構成は、従来の通信システムと同じであり、ホストコンピュータ１と、センター網制御装置（Ｃ−ＮＣＵ）２と、センター側に接続される交換機３と、端末側に接続される交換機４と、ノーリンギング通信で使用されるノーリンギングトランク５と、端末網制御装置（Ｔ−ＮＣＵ）６と、電話機７と、８ビットメータ８、５ビットメータ９、センサ３４等の端末機器とから構成される。本端末網制御装置６は、無線通信機能を有し、無線子機３５を備える。無線子機３５には、８ビットメータ８、５ビットメータ９、センサ３４が接続される。また、無線子機３５は、複数設置することが可能である。なお、図中、１０は局間中継線、１１、１２は端末側交換機４とノーリンギングトランク５とのインターフェイス線、１３〜１６は接続線、３６はアンテナ、Ｌ１，Ｌ２は電話回線である。
【００３０】
端末網制御装置６は、図２、３に示すように、電話機７の使用状態を監視するオフフック検知部２０と、電話機７の監視時に電話回線Ｌ１，Ｌ２から電話機７を切り離す接続切替部２７と、電話回線Ｌ１，Ｌ２の回線電圧の反転を検出する極性反転検出部２１と、ダイアル動作およびオフフック動作をする端末発呼部２２と、極性反転検知後にノーリンギング信号を検知してその信号が自端末か否かを検出するノーリンギング信号（ＮＲＳ）検知部２３と、データ通信時に通信を制御する半ループ制御部２４と、センター網制御装置２との間でデータを送受信するモデム部２５と、８ビットメータ９と通信をするインターフェイス部３１と、各部に電源を供給する電源部２８と、クロック信号を供給して時間等の測定を行う時計部２９と、無線送受信部３７と、ＡＣ１００Ｖの商用電源を供給するＡＣアダプタ７０と、バックアップ用の電池６８と、停電時に電池６８とＡＣアダプタ７０の電源とを切り替える電源切替部６７と、電池６８の電圧を検知する電池低下検知部６９と、ＥＥＰＲＯＭからなる記憶部５２と、ＲＯＭ、ＲＡＭ、ＣＰＵ等を有するマイクロコンピュータからなる主制御部２６とを備えている。
【００３１】
そして、電話回線Ｌ１，Ｌ２には、オフフック検知部２０、接続切替部２７、極性反転検知部２１、リンガー検知部３８、端末発呼部２２、ＮＲＳ検知部２３および半ループ制御部２４が直列に接続される。モデム部２５は、端末発呼部２２、ＮＲＳ検知部２３および半ループ制御部２４に接続されている。端末発呼部２２には、リンガートリガ部３９、リンガー充電部６０、回線充電部６１、強制充電部６２が接続されている。また、主制御部２６には、オフフック検知部２０、接続切替部２７、極性反転検知部２１、端末発呼部２２、ＮＲＳ検知部２３、半ループ制御部２４、モデム部２５、８ビットインターフェイス部３１、電源部２８、時計部２９、リセットスイッチ部６３、縁組みスイッチ部６４，保守発呼スイッチ６５、切替リレー作動部６６が接続されている。
【００３２】
無線子機３５は、制御部２６ａ、電源部２８、時計部２９、ＥＥＰＲＯＭからなる記憶部５２、５ビットインターフェイス部３０、８ビットインターフェイス部３１、センサインターフェイス部３２、無線送受信部３７とを備えている。ここでの電源部２８は、商用電源あるいは電池を利用している。無線子機３５は、端末網制御装置６と通信して、各メータ８、９やセンサ３４からのデータを端末網制御装置６の主制御部２６を通じてセンター側に送信したり、端末網制御装置６からの指令に応じてデータを収集する。
【００３３】
端末網制御装置６において、電話機７の使用状態は、オフフック検知部２０と端末発呼時のオフフック検知部３３により監視される。データ通信中、電話機７がオフフックになると、データ通信を中断する。電話機７がオンフックのときに、センター側のホストコンピュータ１との間でデータ通信を行う。そして、端末網制御装置６がセンター網制御装置２へ発呼するときは、接続切替部２７によって電話機７を電話回線Ｌ１，Ｌ２から切り離して、データの送信を行う。
【００３４】
接続切替部２７は、図３に示すように、電話回線Ｌ１，Ｌ２に対して電話機７の切り離しあるいは接続する切替リレーＲＹ３００を備え、電話機７を電話回線Ｌ１，Ｌ２に接続したリセット状態と、データ通信時に電話機７を電話回線Ｌ１，Ｌ２から切り離したセット状態とを切り替える。この切替リレーＲＹ３００は、電話機７とオフフック検知部２０との間に介装され、従来と同様ラッチングリレーとされる。リレー接点ａ１、ａ２を閉じることにより、電話回線Ｌ１，Ｌ２と電話機７の回線端子Ｔ１、Ｔ２とをつないだ接続位置となり、切替リレーＲＹ３００はリセット状態となる。リレー接点ｂ１、ｂ２を閉じることにより、回線端子Ｔ１、Ｔ２と端末発呼時のオフフック検知部３３とをつないだ通信位置となり、切替リレーＲＹ３００はセット状態となる。切替リレーＲＹ３００のセットコイル５０およびリセットコイル４９に電源を供給して電圧を印加することにより、それぞれの位置にリレー接点が切り替えられる。すなわち、セットコイル５０を駆動すると、通信位置に切り替わり、リセットコイル４９を駆動すると、接続位置に切り替わる。
【００３５】
図４に示すように、端末網制御装置６の電源として、商用電源がＡＣアダプタ７０から常時供給されている。また、電池６８は、停電時のバックアップ用電源として使用される。すなわち、停電検知部５１が停電を検知すると、電源切替部６７に信号を送り、電池６８からの電源供給に切り替える。
【００３６】
ところで、端末網制御装置６におけるメータポートは８ビットポートのみであり、メータインターフェイス部３１では、フォトカプラＰＣ２００、ＰＣ２０１による光結合により、主制御部２６に接続されている。直流電圧的な結合でないため、従来の端末網制御装置６とは大きく異なる。従来の端末網制御装置６は、図５に示すように、電池６８による電源とされ、８ビットメータインターフェイス部３１と、５ビットメータインターフェイス部３０と、センサインターフェイス部を備えていた。５ビットメータ９のインターフェイス線の低電位側は、アース電位と同じであるため、電話回線Ｌ１，Ｌ２の回線電圧から直流的に絶縁する必要があった。このため、電話回線Ｌ１，Ｌ２とのインターフェイスはフォトカプラを経由して伝送されていた。これに対し、本端末網制御装置６は８ビットポート１つのみであり、これが直流的に絶縁されているので、電話回線Ｌ１，Ｌ２の回線電圧と基準電位を同じにすることが可能である。これにより、図３のダイオードブリッジＤ１０４〜１０７の一端は、グランドレベルとして共通にしている。したがって、電話回線Ｌ１，Ｌ２から充電する電位を主制御部２６により直接制御できる。
【００３７】
ここで、接続切替部２７は、商用電源あるいは電池６８からの電源によって駆動されるが、コンデンサＣ９０２からなる充電部９０の電源によっても駆動される。充電部７０は、電話回線Ｌ１，Ｌ２から供給される電力によって充電される。すなわち、充電部９０は、電話回線Ｌ１，Ｌ２からの呼出信号であるリンガー信号による電源を利用して充電するリンガー充電部６０、電話回線Ｌ１，Ｌ２の回線電圧による電源を利用して充電する回線充電部６１、データ通信中に、電話回線Ｌ１，Ｌ２の回線電圧による電源を利用して急速に充電する強制充電部６２によって充電される。
【００３８】
リンガー信号による充電について説明する。端末網制御装置６に、電話回線Ｌ１，Ｌ２からのリンガー信号を利用して充電するために、図２、３に示すように、電話回線Ｌ１，Ｌ２から入力されるリンガー信号を極性反転検知部２１を通じて検知するリンガー検知部３８と、リンガー信号を用いて充電するリンガー充電部６０とが設けられ、充電してから所定時間の経過後に充電部９０からの電源により切替リレーＲＹ３００を動作させるトランジスタｑ９０１が設けられている。
【００３９】
リンガー検知部３８は、電話回線Ｌ１，Ｌ２から入力される１６Ｈｚの周波数で７５Ｖの交流信号により構成された呼出信号であるリンガー信号を検知するものであり、電話回線Ｌ１側にダイオードＤ１００、コンデンサＣ１００、抵抗Ｒ１０３、ツェナーダイオードＺＤ１００、１０１、抵抗Ｒ１０９が直列に接続され、電話回線Ｌ２に接続されている。
【００４０】
リンガー信号が入力すると、極性反転検知部２１において、その電流が抵抗Ｒ１１０、コンデンサＣ１０２、抵抗Ｒ１１１を経由してトランジスタｑ１０４に流れ、トランジスタｑ１０４がオンする。トランジスタｑ１０４がオンすると、入力電流はダイオードＤ１０３、フォトカプラＰＣ１０２、抵抗Ｒ１０８、ツェナーダイオードＺＤ１０３、ＺＤ１０２を経由して流れるので、フォトカプラＰＣ１０２がオンする。リンガー検知部３８の抵抗Ｒ１１３に電流が流れて、コンデンサＣ１０３を充電する。そして、トランジスタｑ１０２がオンして、トランジスタｑ１０２のコレクタから主制御部２６に入力信号が伝達され、リンガー信号が検知される。リンガー信号は交流信号なので、対称に設計されたリンガー検知部３８のフォトカプラＰＣ１０３もオンすることになる。
【００４１】
一方、フォトカプラＰＣ１０２、ＰＣ１０３のオンによって、電話回線Ｌ１，Ｌ２からの電流はリンガートリガ部３９に供給される。リンガートリガ部３９では、この電流が抵抗Ｒ９００を経由してコンデンサＣ９００を充電する。複数回のリンガー信号が入力され、コンデンサＣ９００を充電していくと、トランジスタｑ９００がオンする。すると、抵抗Ｒ９０４を経由して、コンデンサＣ９０１が放電する。複数のリンガー信号によるコンデンサＣ９０１の放電はトランジスタｑ９０１のベースレベルを下げることになり、やがてはトランジスタｑ９０１がオンする。このトランジスタｑ９０１は、充電部９０と切替リレーＲＹ３００とを接続するためのスイッチング素子の働きをし、充電部９０の放電による電流が切替リレーＲＹ３００のリセットコイル４９に流れる。したがって、充電部９０は、複数回のリンガー信号を受信したときにリセットコイル４９の駆動用電源となり、リンガー信号を着信すれば、リセットコイル４９は自動的に駆動される。
【００４２】
また同時に、リンガー信号による電流は、リンガー充電部６０に供給され、ツェナーダイオードＺＤ９０１、定電流ダイオードＣＲＤ９０１経由で流れる。交流信号であるリンガー信号は波形サイクルに応じて一定電圧以上となるので、ツェナーダイオードＺＤ９０１によって一定電圧以上になったことを検出する。すなわち、ツェナーダイオードＺＤ９０１は一定電圧以上のリンガー信号のみを通すことになる。さらに、定電流素子である定電流ダイオードＣＲＤ９０１により一定電流以下に制限して、この制限された電流を充電部９０に供給して、充電する。なお、定電流ダイオードＣＲＤ９０１の代わりに、抵抗によって電流制限を行ってもよい。
【００４３】
具体的には、リンガー信号受信時における直流回路のインピーダンスは、７５Ｖ、１６Ｈｚの交流に対して２ＫΩ以上でなければならないから、最大約３８ｍＡの充電電流を確保できる。
【００４４】
このように、リンガー充電部６０により、リンガー信号が一定電圧以上のときに、一定電流以下に制限した電流を供給して、充電部９０を充電する。したがって、端末網制御装置６の回路内に過剰な電流が流れることはなく、他の回路部品の動作に影響を与えず、誤動作を低減でき、端末網制御装置６の信頼性を高めることができる。
【００４５】
電話回線Ｌ１，Ｌ２からの回線電圧による充電について説明する。回線充電部６１は、定電流ダイオードＣＲＤ９００を備え、データ通信や通話が行われていない待機時に充電部９０を充電する。充電部９０は、定電流ダイオードＣＲＤ９００を介してダイオードブリッジＤ１０４〜１０７に対して接続され、定電流素子である定電流ダイオードＣＲＤ９００によって一定電流以下に制限された電流が充電部９０に供給される。このように、電話回線Ｌ１，Ｌ２の回線電圧による微少電流により充電部９０は常時充電され、リセットコイル４９の駆動用電源となる。具体的には、通信を行っていない待機時、回線電圧に対して１ＭΩ以上の直流抵抗値が必要とされ、回線電圧は通常４８Ｖなので、約４８μＡの充電電流を確保できる。
【００４６】
データ通信中における強制充電について説明する。充電部９０は、定電流ダイオードＣＲＤ９００に並列に接続された抵抗Ｒ９１４、フォトカプラＰＣ９００を経由してダイオードブリッジＤ１０４〜１０７に対して接続されており、抵抗Ｒ９１３、Ｒ９１４、フォトカプラＰＣ９００によって強制充電部６２が構成される。
【００４７】
端末発呼によるデータ通信開始時に、主制御部２６からの出力信号により端末発呼部２２のフォトカプラＰＣ１０４がオンされ、トランジスタｑ１０５、ｑ１０６がオンして、トランスＴＲ１００に直流電流が流れる。この電流を流すタイミングにおいて、主制御部２６からの出力信号によりフォトカプラＰＣ９００をオンさせ、回線電圧によって生じる電流の一部を充電部９０の充電にあてる。このとき、オフフック検知部２０のフォトカプラＰＣ１０１によって、電話機７が使用されているか否かを検知して、使用されていないときに、充電を実施する。したがって、電話機７に雑音が入ることはない。なお、抵抗Ｒ９１４は、電流を制限する定電流素子であり、これの代わりに定電流ダイオードを使用してもよい。
【００４８】
センター側とデータ通信を行い、通信を終了するとき、オンフックする前に、上記と同様に強制充電を再度実施する。充電終了後、リセット動作を行うための電源として利用することにより、リセットコイル４９の駆動電源となる。ツェナーダイオードＺＤ９００は、充電部９０の過電圧保護を行うものである。
【００４９】
具体的には、通信中、すなわち直流回路を閉じているときにおいて、直流回路の直流抵抗値は、２０ｍＡ〜１２０ｍＡで測定して、５０Ω以上、３００Ω以下でなければならないから、交換機側電源内部抵抗を４００Ωとすると、約６８ｍＡ程度の充電電流を確保できる。
【００５０】
また、ノーリンギング通信中における直流回路の直流抵抗値は４ＫΩ以上が必要なので、交換機側電源内部抵抗を４００Ωとすると、約１１ｍＡの充電電流を確保できる。しかしながら、ノーリンギング通信中は、切替リレーＲＹ３００を切り替えずに通信するので、回線電圧からの電流によって充電しなくてもよい。
【００５１】
なお、充電部９０をセットコイル５０の電源として兼用させることもできる。電話回線Ｌ１，Ｌ２をオフフックする際に、まず強制充電を行い、充電完了後、セットコイル５０に充電部９０から電流を流すと、セットコイル５０に電圧が印加されて動作し、セット状態になる。
【００５２】
そして、切替リレーＲＹ３００は、通常、主制御部２６からの信号に基づいて作動される。切替リレーＲＹ３００を通信位置および接続位置に切り替える切替リレー作動部６６として、主制御部２６からの出力によって動作するトランジスタＱ３００、Ｑ３０１および切替リレー用コンデンサＣ３００が設けられている。
【００５３】
切替リレー作動部６６は、電池６８からの電源によって切替リレーＲＹ３００を駆動する。すなわち、ＡＣ１００Ｖの商用電源からの供給電源Ｖｃｃｍ、あるいは停電時においては電池６８からの供給電源Ｖｃｃｍにより、コンデンサＣ３００は常時充電されている。主制御部２６の出力ポートから駆動信号を出力することにより、トランジスタＱ３００あるいはトランジスタＱ３０１がオンして、コンデンサＣ３００からの電源がリセットコイル４９あるいはセットコイル５０に供給され、切替リレーＲＹ３００は駆動する。セットコイル５０にはダイオードＤ３０２が、リセットコイル４９にはダイオードＤ３０３が、それぞれ並列に接続されて、各コイル４９、５０を逆起電力から保護している。
【００５４】
さらに、切替リレー作動部６６は電話回線Ｌ１，Ｌ２から供給される電源によっても駆動される。すなわち、主制御部２６のオープンドレイン（ＯＤ）出力によって、トランジスタｑ９０１のベース電流を抵抗Ｒ９１６を介してローレベルにすることにより、充電部７０からの電源がリセットコイル４９に供給される。また、セットコイル５０に供給することも可能である。これによって、切替リレーＲＹ３００を駆動することができ、接続切替部２７がリセット状態あるいはセット状態に切り替わる。したがって、電池電圧が低下している場合、電池６８の代わりに電話回線Ｌ１，Ｌ２から供給される電源によって、切替リレーＲＹ３００を駆動することができる。
【００５５】
次に、端末網制御装置６からの端末発呼時の動作について説明する。端末網制御装置６に接続されたメータ９等の端末機器、あるいは無線子機３５から発呼要求があると、オフフック検知部２０によって電話機７の使用状態を検知して、電話機７がオンフック状態であれば、センター網制御装置２との通信を行う。
【００５６】
通信が開始されると、切替リレーＲＹ３００を切替リレー作動部６６によってセット状態に切り替えて、電話機７を電話回線Ｌ１，Ｌ２から切り離す。そして、主制御部２６からの出力信号によってフォトカプラＰＣ１０４がオンされる。すると、電話回線Ｌ１，Ｌ２からダイオードブリッジＤ１０４〜１０７を介してフォトカプラＰＣ１０４に電流が流れ、抵抗Ｒ１１７、抵抗Ｒ１１８によりトランジスタｑ１０５にバイアスが与えられて、トランジスタｑ１０６がオンする。抵抗Ｒ１２１を経由してトランスＴＲ１００に電流が流れて、オフフック状態となる。同時に電話回線Ｌ１，Ｌ２からの電流が、抵抗Ｒ９１４、フォトカプラＰＣ９００を経由して、一定値以下に制限されて充電部９０に流れ、一定時間だけ充電される。これによって、切替リレーＲＹ３００を動作可能とする十分な電荷が蓄えられる。その後、主制御部２６からの出力信号によってフォトカプラＰＣ９００がオフされる。主制御部２６からの出力信号によってトランジスタＱ３０１がオンされ、コンデンサＣ３００からの電流がセットコイル５０に流れて、接続切替部２７が通信位置に切り替わって、端末機器からのデータがセンター側装置へ送信される。ここでは、コンデンサＣ３００からの電源によって切替リレーＲＹ３００を駆動したが、データ通信開始時に強制充電された充電部９０の電源によりセットコイル５０を駆動してもよい。
【００５７】
端末網制御装置６とセンター網制御装置２との間で通信電文のやり取りが終了すると、主制御部２６からの出力信号によって、フォトカプラＰＣ１０４がオフされ、フォトカプラＰＣ９００がオンされる。電話回線Ｌ１，Ｌ２からダイオードブリッジＤ１０４〜１０７を介してフォトカプラＰＣ１０４に電流が流れ、充電部９０を一定時間充電する。その後、フォトカプラＰＣ９００がオフされて、トランジスタｑ９０１がオンされる。すると、充電部９０からの電流がリセットコイル４９に流れて、切替リレーＲＹ３００が接続位置に切り替わり、電話機７が通話可能となる。さらに、フォトカプラＰＣ９００をオフした後、主制御部２６により、トランジスタＱ３０１がオンされ、リセットコイル４９にコンデンサＣ３００あるいは商用電源からの電源を供給する。これによって、異なる電源によって時間差をおいて切替リレーＲＹ３００を駆動する２重安全回路が形成される。したがって、充電部９０からの電源によって切替リレーＲＹ３００が駆動されない事態が発生しても、他の電源によって駆動させることができるので、確実に接続切替部２７の状態を切り替えることができる。
【００５８】
そして、接続切替部２７がセット状態のときに電話機７がオフフックされると、端末発呼時のオフフック検知部３３からの信号に基づいて主制御部２６がトランジスタＱ３００をオンして、切替リレーＲＹ３００が駆動される。切替リレーＲＹ３００が通信位置から接続位置に切り替わって、通信が中断する。
【００５９】
ところで、電話機７が電話回線Ｌ１，Ｌ２から切り離されているときに、主制御部２６に何らかの不具合が生じたり、切替リレーＲＹ３００を作動させる電源の供給が途絶えたりすると、通信が終了しても接続切替部２７がリセット状態に切り替わらない。そのため、電話機７が使用できなくなってしまう。
【００６０】
そこで、切替リレーＲＹ３００が通信位置のままのとき、電話回線Ｌ１，Ｌ２から１６Ｈｚ、７５Ｖのリンガー信号が入力されると、リンガー信号による回線電圧がダイオードブリッジＤ１０４〜１０７に印加される。ツェナーダイオードＺＤ９０１によって一定の振幅以上のリンガー信号のみがダイオードブリッジＤ１０４〜１０７を通過して、その電流が定電流ダイオードＣＲＤ９０１を流れて充電部９０を充電する。
【００６１】
これと同時に、電話回線Ｌ１，Ｌ２からフォトカプラＰＣ１０２、ＰＣ１０３に電流が流れる。フォトカプラＰＣ１０２、ＰＣ１０３がオンして、リンガートリガ部３９において、商用電源Ｖｃｃｍからの電源が抵抗Ｒ９００、コンデンサＣ９００によりトランジスタｑ９００にバイアスを与え、トランジスタｑ９００がオンする。複数回の連続したリンガー信号によりトランジスタｑ９００はオンを継続して、トランジスタｑ９０１がオンする。トランジスタｑ９０１を通じて充電部９０からの電源がリセットコイル４９に供給され、リセットコイル４９が駆動する。切替リレーＲＹ３００は接続位置となり、電話機７と電話回線Ｌ１，Ｌ２とが接続され、電話機７は使用可能となる。このときの充電は、トランジスタｑ９０１がオンするまで、交流信号であるリンガー信号の各サイクル毎に行われ、コンデンサＣ９０１の遅延時定数によって、一定時間充電部９０が充電される。したがって、複数回のリンガー信号を受信することにより、長い時間をかけて切替リレーＲＹ３００を駆動するのに十分な充電が行われ、リセットコイル４９の駆動が可能になる。
【００６２】
このように、電話回線Ｌ１，Ｌ２から入力されるリンガー信号を用いて、充電部９０およびトランジスタｑ９０１によって切替リレーＲＹ３００を動作させることができるので、主制御部２６の動作に関係なく電話機７と電話回線Ｌ１，Ｌ２とを接続することができる。したがって、主制御部２６が落雷等の事故によって機能しなくなり、電話機７と電話回線Ｌ１，Ｌ２とが切り離された状態になってしまっても、リンガー信号がトリガーとなって、接続切替部２７をリセット状態に切り替えることができるので、電話機７が使用できないといったようなことがなくなり、使用者に不快感を与えない。
【００６３】
また、電話回線Ｌ１，Ｌ２から回線電圧が入力されるので、これを利用して、充電部９０に電話回線Ｌ１，Ｌ２からの電流を常時充電できる。そのため、長い時間充電することができ、十分な電荷を蓄えることができる。したがって、十分な電荷によって接続切替部２７を確実に作動させることができる。
【００６４】
しかも、リンガートリガ部３９の動作するタイミングが、複数回の呼出信号を受信して、十分に充電部９０を充電できる時間に設定されているので、呼出信号による充電時間を従来の特許文献１の端末網制御装置よりも長くなる。したがって、電話回線Ｌ１，Ｌ２に印加されている回線電圧の極性反転直後に呼出信号に応答することがなく、ノーリンギング応答と重ならない。そのため、１本の電話回線Ｌ１，Ｌ２に複数の端末網制御装置６が接続されていても、端末側交換機４が電話機７のオフフックと誤ってしまう誤動作や、ノイズによる端末網制御装置６の誤動作の防止が可能となる。
【００６５】
また、ツェナーダイオードＺＤ９０１によって一定の振幅以上のリンガー信号のみ通して、定電流ダイオードＣＲＤ９０１によって一定電流を充電部９０に供給しているので、回路内に過剰な電流が流れることはない。したがって、端末網制御装置６内の他の回路部品の作動に影響を与えず、誤動作を低減でき、端末網制御装置６としての信頼性が向上する。
【００６６】
さらに、切替リレーＲＹ３００の動作時以外は、充電部９０に電話回線Ｌ１，Ｌ２からの電流が微少しか流れないので、電話回線Ｌ１，Ｌ２からみたインピーダンスは、電話機７の認定上の規格値に対して十分に高いインピーダンスを維持することができ、通信中のインピーダンスにも影響を与えず、確実な通信を行える。
【００６７】
ところで、端末網制御装置６の設置工事をしたとき、工事ミスや取り扱い上のミス等によって切替リレーＲＹ３００が通信位置になっていると、電話機７と電話回線Ｌ１，Ｌ２とが切り離された状態のまま設置されることになる。この場合、当初から電話機７が使用できなくなる。
【００６８】
このとき、電話回線Ｌ１，Ｌ２からリンガー信号が入力すると、上記のように接続切替部２７がリセット状態に切り替えられるので、電話機７が使用可能となる。このことを利用すれば、設置工事後の確認作業として、端末網制御装置６に電話をかけることにより、必ず接続切替部２７をリセット状態にすることができ、万が一設置工事におけるミスがあっても、このミスを取り消すことができる。
【００６９】
また、リンガー信号の受信を待たなくても、早急に電話機７を使用可能にすることができる。すなわち、端末網制御装置６には、目的に応じて、リセットスイッチ６３、縁組みスイッチ６４、保守発呼スイッチ６５が内蔵されているので、これらのスイッチを接続切替部２７をリセット状態にするためのリセット用スイッチとして機能させる。上記のように電話機７が使えないとき、保守発呼スイッチ６５を短時間オンすると、トランジスタｑ９０１がオンして、充電部９０からの電源がリセットコイル４９に供給され、切替リレーＲＹ３００が動作する。同時に主制御部２６の出力ポートからリセット信号をトランジスタＱ３０１に出力して、トランジスタＱ３０１をオンし、リセットコイル４９を動作させる。充電部９０が十分に充電されていなくて、リセットコイル４９を動作させることができなくても、他の電源によって動作させることができる。他のリセットスイッチ６３、縁組みスイッチ６４についても同じリセット機能を持たせておき、いずれのスイッチが操作されても、必ず接続切替部２７をリセットできるように制御される。
【００７０】
また、電池６８の電圧低下が起こった場合には、電池６８による切替リレーＲＹ３００の駆動ができなくなる可能性がある。そこで、電池低下検知部６９によって電圧低下を検知したとき、主制御部２６は、充電部９０あるいは商用電源を利用して、接続切替部２７をリセット状態とし、電話機７の使用を優先させる。
【００７１】
あるいは、電池低下検知部６９から出力された電池低下信号を記憶部５２に記憶させておき、主制御部は２６、接続切替部２７をセット状態にするのか否かを選択する。選択の手段として、センター側のホストコンピュータ１に問い合わせて、判断を仰ぐ。このとき、接続切替部２７はセット状態にしておく。センター側からの指示により、セット状態にすることが禁止されたならば、主制御部２６は、充電部９０あるいは商用電源を利用して、接続切替部２７をリセット状態とし、端末発呼による通信が禁止される。セット状態が禁止されないならば、端末発呼は可能となる。他の選択の手段として、主制御部２６は、プログラムにしたがって予め設定された選択値により、接続切替部２７の駆動を可能とするか、駆動を禁止するかを選択する。駆動禁止と設定されている場合は、例えば端末発呼によって検針値をセンター側装置に送信するデータ通信ができないが、非常通報だけはできる、あるいはセンター側装置の発呼によるデータ通信はできるといったように、一部あるいはすべての通信が制限される。
【００７２】
あるいは、電池６８の電圧低下が起こったとき、主制御部２６は、充電部９０の電圧を検出して、切替リレーＲＹ３００の駆動に十分な電荷が蓄えられていると判断できる場合には、端末発呼によるデータ通信は継続して可能であると判断し、接続切替部２７の駆動を可能とする。その後、主制御部２６は、トランジスタｑ９０１をオンして、電話回線Ｌ１，Ｌ２からの電源を利用して、切替リレーＲＹ３００を接続位置に切り替える。
【００７３】
以上のように、接続切替部２７の駆動用電源は、電話回線Ｌ１，Ｌ２から供給される電源を利用しているので、電池６８の消費電力を低減できる。そのため、他の回路部品の動作に必要な電力を確保でき、これらの動作に影響を与えない。したがって、端末網制御装置６の誤動作を低減でき、信頼性が向上する。
【００７４】
なお、本発明は、上記実施形態に限定されるものではなく、本発明の範囲内で上記実施形態に多くの修正および変更を加え得ることは勿論である。例えば、上記実施形態では、切替リレーを電話回線から供給される電源と電池からの電源の両方で駆動していたが、通常の通信時には電話回線から供給される電源により駆動するようにして、電池の長寿命化を図ってもよい。そして、充電部として、コンデンサの代わりに２次電池を用いてもよい。さらに、端末網制御装置は屋外に設置されることが多いので、太陽電池や風力発電装置を装着して、これらの電力をバックアップ用電源として利用してもよい。
【００７５】
また、端末網制御装置は一般電話回線に接続したが、専用線等の通信回線に接続されていてもよい。さらに、通信回線は、有線に限らず無線であってもよく、マイクロ波を送信して、この電気エネルギによる電力を電源として利用してもよい。通信機器も電話機に限らず、通話機能を有するパソコン、情報端末であってもよい。
【００７６】
【発明の効果】
以上の説明から明らかな通り、本発明によると、電話回線の回線電圧や呼出信号といった電話回線からの電力を利用することにより、接続切替部の駆動用電源を常に確保することができるので、電池のみで駆動する場合における電池の電源不足により、接続切替部を駆動できなくなったり、停電時に電話機を使用できなくなるといった事態を防止でき、使用者に不快感を与えず、装置としての信頼性の向上を図れる。
【００７７】
また、電話回線からの電力を利用する場合、待機時に回線電圧によって充電したり、データ通信時、特に通信開始時および終了時に充電することにより、接続切替部を駆動するのに必要な電源を確実に確保できる。したがって、この充電された電源によって接続切替部を駆動すれば、電池や商用電源によって駆動する必要がなくなり、電池の消耗を防いで長寿命を図れるとともに、商用電源の消費電力を低減でき、端末網制御装置の稼動コストを減らせる。
【図面の簡単な説明】
【図１】本発明の一実施形態のノーリンギング通信方式の通信システムの構成図
【図２】無線子機を備えた端末網制御装置の構成図
【図３】端末網制御装置の主要部の回路図
【図４】端末網制御装置の電源部および８ビットメータインターフェイス部の構成図
【図５】従来の端末網制御装置の電源部およびメータインターフェイス部の構成図
【図６】従来のノーリンギング通信方式の通信システムの構成図
【図７】従来の端末網制御装置の構成図
【図８】従来の切替リレー用動作電源の回路図
【符号の説明】
６    端末網制御装置
７    電話機
２６    主制御部
２７    接続切替部
２８    電源部
４９    リセットコイル
５０    セットコイル
６０    リンガー充電部
６１    回線充電部
６２    強制充電部
６３    リセットスイッチ
６４    縁組みスイッチ
６５    保守発呼スイッチ
６６    切替リレー作動部
６８    電池
９０    充電部
Ｌ１，Ｌ２    電話回線
ＲＹ３００    切替リレー
【図１】
2004200758.tif 000003
【図２】
2004200758.tif 000004
【図３】
2004200758.tif 000005
【図４】
2004200758.tif 000006
【図５】
2004200758.tif 000007
【図６】
2004200758.tif 000008
【図７】
2004200758.tif 000009
【図８】
2004200758.tif 000010